(57)【要約】【課題】蓋のロック解除操作と、蓋の開放操作とを特に意識しなくても使用者が連続的に行うことができる蓋装置を提供することを目的とする。【解決手段】筐体と前記筐体に開閉可能に取り付けられた蓋体とを備える蓋装置であって、蓋体は、第1の方向にスライド操作されることにより、蓋体を閉状態でロックするロック状態からロック状態が解除されたロック解除状態へと切り替え可能なスライド部を有し、ロック解除状態において、スライド部に対して、第1の方向とは異なる第2の方向に力が加えられることにより、開放可能であり、スライド部には、第1の方向と第2の方向の合成方向に対して略垂直方向の突起部が表面に形成されている。【選択図】図５
2010278832.tif 000002
【特許請求の範囲】
【請求項１】
筐体と前記筐体に開閉可能に取り付けられた蓋体とを備える蓋装置であって、
前記蓋体は、
第1の方向にスライド操作されることにより、前記蓋体を閉状態でロックするロック状態から前記ロック状態が解除されたロック解除状態へと切り替え可能なスライド部を有し、
前記ロック解除状態において、前記スライド部に対して、前記第1の方向とは異なる第2の方向に力が加えられることにより、開放可能であり、
前記スライド部には、第1の方向と第2の方向の合成方向に対して略垂直方向の突起部が表面に形成されている、
蓋装置。
【発明の詳細な説明】
【技術分野】
【０００１】
本発明は、蓋装置に関し、特に、筐体に蓋が設けられている蓋装置に関する。
【背景技術】
【０００２】
特許文献１は、メモリカードやバッテリーが格納される収容部を開閉する蓋部カバーと、蓋部カバーを蓋ロック解除位置に操作するためのスライド式の蓋開放つまみと、を有するカメラ装置を開示する。
【先行技術文献】
【特許文献】
【０００３】
【特許文献１】特開２００２−３５４３０３号公報
【発明の概要】
【発明が解決しようとする課題】
【０００４】
しかしながら、上記特許文献１に開示されているカメラ装置において、使用者は、蓋部カバーを開放する際に、蓋部カバーのロック解除操作と、蓋部カバーの開放操作との２段階の操作を意図的に行うことが必要となる。
【０００５】
本発明は、蓋のロック解除操作と、蓋の開放操作とを特に意識しなくても使用者が連続的に行うことができる蓋装置を提供することを目的とする。
【課題を解決するための手段】
【０００６】
上記課題を解決するために、本発明にかかる蓋装置は、筐体と前記筐体に開閉可能に取り付けられた蓋体とを備える蓋装置であって、蓋体は、第1の方向にスライド操作されることにより、蓋体を閉状態でロックするロック状態からロック状態が解除されたロック解除状態へと切り替え可能なスライド部を有し、ロック解除状態において、スライド部に対して、第1の方向とは異なる第2の方向に力が加えられることにより、開放可能であり、スライド部には、第1の方向と第2の方向の合成方向に対して略垂直方向の突起部が表面に形成されている。
【発明の効果】
【０００７】
本発明によれば、蓋のロック解除操作と、蓋の開放操作とを特に意識しなくても使用者が連続的に行うことができる蓋装置を提供することができる。
【図面の簡単な説明】
【０００８】
【図１】デジタルビデオカメラ１００の斜視図
【図２】デジタルビデオカメラ１００を結合ユニット１０２と最小ユニット２００とに分解した様子を示す分解斜視図
【図３】最小ユニット２００を筐体カバー２０１と蓋ユニット３００とに分解した様子を示す分解斜視図
【図４】蓋ユニット３００を分解した様子を示す分解斜視図
【図５】蓋ユニット３００の正面図
【図６】最小ユニット２００を裏側から見た裏面図
【図７】蓋ユニット３００の動作状態を説明するための図
【図８】蓋ツマミ３０２に作用にする力を説明するための図
【発明を実施するための形態】
【０００９】
〔１．実施の形態１〕
〔１−１．概要〕
以下、本発明をデジタルビデオカメラに適用した実施の形態の一例について、図１から図８を用いて説明する。図1は、本実施の形態にかかるデジタルビデオカメラ１００の斜視図である。図２は、本実施の形態にかかるデジタルビデオカメラ１００を結合ユニット１０２と最小ユニット２００とに分解した様子を示す分解斜視図である。図3は、最小ユニット２００を筐体カバー２０１と蓋ユニット３００とに分解した様子を示す分解斜視図である。図４は、蓋ユニット３００を分解した様子を示す分解斜視図である。図5は、蓋ユニット３００の正面図である。図６は、最小ユニット２００を裏側から見た裏面図である。図７は、蓋ユニット３００の動作状態を説明するための図である。図8は蓋ツマミ３０２に作用にする力を説明するための図である。
【００１０】
〔１−２．デジタルビデオカメラ１００の全体構成〕
図１に示すように、デジタルビデオカメラ１００は、装置本体内にレンズ１０１と、レンズ１０１により結像された画像を撮像する撮像素子（不図示）と、撮像素子により撮像された画像を記憶媒体に記録するための記録装置（不図示）と、記録装置に記憶媒体を差し込むための挿入口に設けられた蓋ユニット３００とを有する。ここで、蓋ユニット３００は、デジタルビデオカメラ１００の上面に配置されている。デジタルビデオカメラ１００は、レンズ１０１により結像された画像を撮像素子より撮像し、画像データを生成し、生成した画像データを記憶媒体に記録する。
図２に示すように、デジタルビデオカメラ１００は、結合ユニット１０２と蓋ユニット３００を有する最小ユニット２００とから構成される。結合ユニット１０２は、幾つかの小ユニット、レンズ101、撮像素子、及び記録装置などから構成される。
【００１１】
〔１−３．最小ユニット２００の構成〕
図３に示すように、最小ユニット２００は、蓋ユニット３００と、外ケース２０１とから構成される。外ケース２０１は、記憶媒体を差し込むための挿入口２０２を有している。蓋ユニット３００は、挿入口２０２の上部に取り付けられている。使用者は、蓋ユニット３００を開状態にすることにより、記憶媒体を挿入口２０２に挿入できる。
【００１２】
〔１−４．蓋ユニット３００の構成〕
図４に示すように、蓋ユニット３００は、蓋３０１と、蓋３０１に相対移動可能に取り付けられた蓋ツマミ３０２と、シャフト３０３と、蓋ツマミ３０２を所定の方向に押さえ付けるロックバネ３０４と、蓋３０１を開放する方向に力を加える回動バネ３０５とから構成される。蓋３０１は、小判形のフタ孔３０６を左右対称に有している。また、蓋ツマミ３０２は、小判形のツマミ孔３０７を左右対称に有する。シャフト３０３は、蓋３０１に設けられたフタ孔306と、蓋ツマミ３０２のツマミ孔307と、回動バネ３０５とを貫通し、蓋ユニット300として結合する。このように、蓋ツマミ３０２は、蓋３０１の下部に設けられる。従って、蓋ツマミ３０２を蓋３０１と全くことなる位置に設ける場合と比べて、機器全体を小型化することができる。
【００１３】
〔１−５．蓋ユニット３００の動作〕
図５に示すように、蓋３０１に取り付けられた蓋ツマミ３０２は、矢印方向（左右方向）に所定の距離だけ相対移動可能となっている。蓋ツマミ３０２が蓋３０１に対して相対移動する際の詳細について説明する。図７は、図６に示す最小ユニット２００のα部（蓋ユニット３００を裏側から示した部分）について説明する図である。図７を用いて、蓋ユニット３００の動作（閉状態から開状態に至るまでの一連の動作）を説明する。
【００１４】
図７-１は、蓋ユニット３００が閉じた状態を示している。また、図７-２は、蓋ツマミ３０２が蓋３０１に対してＡ方向に所定の距離だけ移動した状態を示している。また、図７-３は、蓋ユニット３００が外ケース２０１に対してＢ方向に所定の距離だけ移動した状態を示している。
図７-１に示すように、蓋ユニット３００が閉じた状態にある時、蓋ツマミ３０２が有するツマミ爪３０８は、外ケース２０１が有するケース爪３０９と嵌合している。これにより、ツマミ爪３０８とケース爪３０９とは、蓋ユニット３００のＢ方向の動作を規制する。図７-１の状態から蓋ツマミ３０２をＡ方向に沿って所定の距離だけ移動させることで、図７-２に示すように、ツマミ爪３０８とケース爪３０９との嵌合は解除される。これにより、蓋ユニット３００は、Ｂ方向（フタ孔３０６、及びツマミ孔３０７の長手方向）に沿って移動可能となる。この状態において、回動バネ３０５は回動可能となるため、蓋ユニット３００をＢ方向に動かす力を加える。しかし、本実施の形態にかかるデジタルビデオカメラ１００においては、回動バネ３０５の力のみによって蓋ユニット３００を開けることはできない。そこで、使用者は、図７-２の状態において、図７-３に示すように蓋ユニット３００をＢ方向に所定の距離動かすことにより、蓋ユニット３００を開いた状態とすることができる。
〔１−６．スライド部材３１０の構成〕
使用者は、蓋ユニット３００の開閉操作を蓋ツマミ３０２が有するスライド部材３１０をスライド操作することにより行う。図８に示すように、スライド部材３１０は、Ｂ方向に対して所定の傾斜を有する形状（斜辺部５００）とＡ方向に沿った形状（上辺部４００）とから構成される。蓋ユニット１０２を閉状態から開状態に移行するために、使用者は、前述の通り、蓋ツマミ３０２をＡ方向にスライド操作し、その後に、蓋ツマミ３０２を垂直方向であるＢ方向にスライド操作する必要がある。
ここで、スライド部材３１０は、所定の傾斜（斜辺部５００）を有する形状となっている。従って、使用者は、スライド部材３１０をＡ方向にスライド操作することにより、傾斜方向に対して法線方向である方向Ｃに力を加えることになる。この方向Ｃの力はＡ方向の操作力ＤとＢ方向の操作力Ｅに分解することができる。従って、蓋ユニット３００がＢ方向への移動を規制されている状態において、使用者がスライド部材３１０に対してＣ方向の力を加えると、蓋ツマミ３０２は、Ａ方向にスライドする。また、蓋ユニット３００のＢ方向への移動の規制が解除されている状態において、使用者がスライド部材３１０に対してＣ方向の力を加えると、蓋ユニット３００は、Ｂ方向にスライドし、開放状態となる。
このため、使用者は、蓋ツマミ３０２をＡ方向へ操作した後に蓋ユニットをＢ方向に移動させるといった操作方向の変更を意識しなくても、Ａ方向の操作からＢ方向への操作への操作移行をスムーズに行うことができる。
【産業上の利用可能性】
【００１５】
本発明は、デジタルビデオカメラやデジタルスチルカメラ等の蓋を有する装置に適用可能である。
【符号の説明】
【００１６】
１００    デジタルビデオカメラ
１０１    レンズ
１０２    結合ユニット
２００    最小ユニット
２０１    筐体カバー
２０２    挿入口
３００    蓋ユニット
３０１    蓋
３０２    蓋ツマミ
３０３    シャフト
３０４    ロックバネ
３０５    回動バネ
３０６    蓋孔
３０７    ツマミ孔
３０８    ツマミ爪
３０９    ケース爪
３１０    スライド部材
【図１】
2010278832.tif 000003
【図２】
2010278832.tif 000004
【図３】
2010278832.tif 000005
【図４】
2010278832.tif 000006
【図５】
2010278832.tif 000007
【図６】
2010278832.tif 000008
【図７】
2010278832.tif 000009
【図８】
2010278832.tif 000010